(57)【要約】      （修正有）【課題】作製が容易で、組付けが便利であり、収納及び輸送時のスペースがより小さな積み木ユニット、この積み木ユニットを使用する積み木組合せ構造及びこの積み木ユニットの基材を提供する。【解決手段】本体１を含み、本体は多面体であり、少なくとも一つの結合穴２と少なくとも一つの結合部３とが設けられ、結合穴と結合部は本体の何れかの相違の表面に設けられ、結合部は非直線的な割り線３１を有し、その両端の位置が互いに相違し、割り線によりヘッド部３２が形成され、ヘッド部と本体の連接箇所には、ネック部３３が形成されており、ネック部によりヘッド部が本体に対して旋回することが可能である。結合穴２は係合部を有し、少なくとも係合部の幅はヘッド部の幅よりも小さく、これにより、ヘッド部は結合穴に押付けて係合することが可能である。【選択図】図１
0003189033.tif 000002
【実用新案登録請求の範囲】
【請求項１】
本体を含み、
前記本体は多面体であり、前記本体には、少なくとも一つの結合穴と、少なくとも一つの結合部と、が設けられており、前記結合穴と前記結合部は、前記本体の何れかの相違の表面に設けられており、前記結合部は割り線を有し、前記割り線は、非直線的であり、その両端の位置が互いに相違しており、前記割り線によりヘッド部が形成されており、前記ヘッド部と前記本体の連接箇所では、ネック部が形成されており、前記ネック部により前記ヘッド部が前記本体に対して旋回することが可能であり、前記結合穴は係合部を有し、少なくとも前記係合部の幅は前記ヘッド部の幅よりも小さく、これにより、前記ヘッド部は前記結合穴の前記係合部に押付けて係合することが可能であることを特徴とする積み木ユニット。
【請求項２】
前記ヘッド部の最大幅は前記ネック部の幅よりも大きく、前記結合穴の最大幅は、前記ネック部の幅よりも大きく、前記ヘッド部の最大幅よりも小さいことを特徴とする、請求項１に記載の積み木ユニット。
【請求項３】
前記本体は、第１面と、前記第１面に対向している第２面と、前記第１面と前記第２面を連接する複数の側面と、を有し、前記本体には、複数の結合穴と、複数の結合部と、が設けられており、前記各結合穴と前記各結合部は、それぞれ前記第１面、前記第２面及びこれらの前記側面のうちの何れかの相違する二つに設けられていることを特徴とする、請求項１に記載の積み木ユニット。
【請求項４】
前記各結合部の前記ヘッド部は、枢着軸に沿って前記本体に対して旋回することが可能であり、少なくとも二つの前記結合部の前記ヘッド部の枢着軸の方向が互いに相違することを特徴とする、請求項３に記載の積み木ユニット。
【請求項５】
前記割り線はほぼ円弧形を呈し、これにより、前記ヘッド部はほぼ円弧形を呈し、前記結合穴は円形を呈する穴であることを特徴とする、請求項１に記載の積み木ユニット。
【請求項６】
前記結合穴のエッジはほぼ歯状を呈することを特徴とする、請求項１に記載の積み木ユニット。
【請求項７】
前記結合部の前記ヘッド部の周縁はほぼ歯状を呈することを特徴とする、請求項１に記載の積み木ユニット。
【請求項８】
前記本体は中空な多面体であり、前記結合穴と前記結合部は、前記本体の前記第１面と、前記第１面に対向している前記第２面とに、それぞれ設けられており、前記結合穴と前記結合部との位置は互いに対応していることを特徴とする、請求項１に記載の積み木ユニット。
【請求項９】
請求項１から請求項７のうちの何れかの一つの複数の積み木ユニットを含み、前記各本体の前記結合穴の前記係合部の幅は、その他の何れかの一つの前記本体の前記ヘッド部の最大幅よりも小さく、これにより、前記本体の前記ヘッド部が前記本体に対して旋回しているときに、前記本体の前記ヘッド部は、その他の何れかの一つの前記本体の前記結合穴の前記係合部と係合することが可能であることを特徴とする積み木組合せ構造。
【請求項１０】
シート体を含み、前記シート体は複数のブロックを有し、何れかの二つの隣接する前記ブロックの間に折り線が形成されており、これらの前記ブロックは、これらの前記折り線に沿って同じ方向に折られて、中空な多面体を形成することが可能であり、前記シート体には、少なくとも一つの結合穴と、少なくとも一つの結合部と、が設けられており、前記結合穴と前記結合部は、それぞれ前記シート体の何れかの二つの相違する前記ブロックに設けられており、前記結合部は割り線を有し、前記割り線は、非直線的であり、その両端の位置が互いに相違しており、前記割り線によりヘッド部が形成されており、前記ヘッド部と前記シート体の連接箇所では、ネック部が形成されており、前記ネック部により前記ヘッド部が前記シート体に対して旋回することが可能であり、前記結合穴は係合部を有し、少なくとも前記係合部の幅は前記ヘッド部の幅よりも小さく、これにより、前記ヘッド部は前記結合穴の前記係合部に押付けて係合することが可能であることを特徴とする積み木ユニットの基材。
【請求項１１】
前記ヘッド部の最大幅は前記ネック部の幅よりも大きく、前記結合穴の最大幅は、前記ネック部の幅よりも大きく、前記ヘッド部の最大幅よりも小さいことを特徴とする、請求項１０に記載の積み木ユニットの基材。
【請求項１２】
前記シート体の複数の前記ブロックは、第１ブロックと、第２ブロックと、連結ブロックと、二つの第１翼部と、第２翼部と、二つの第３翼部と、第４翼部と、を含み、前記結合穴と前記結合部は、それぞれ前記第１ブロックと前記第２ブロックに設けられており、前記第１ブロックと前記第２ブロックは矩形を呈し、前記連結ブロックは前記第１ブロックと前記第２ブロックを連結しており、前記二つの第１翼部は、それぞれ前記第１ブロックの前記連結ブロックに隣接する両端に設けられており、前記第２翼部は、前記第１ブロックの前記連結ブロックから遠ざかった一端に設けられており、前記二つの第３翼部は、それぞれ前記第２ブロックの前記連結ブロックに隣接する両端に設けられており、前記第４翼部は、前記第２ブロックの前記連結ブロックから遠ざかった一端に設けられており、前記二つの第１翼部の形状は、前記二つの第３翼部の形状に対応しており、前記第２翼部の形状は、前記第４翼部の形状に対応しており、前記各第１翼部と前記第１ブロックの連接箇所と、前記第２翼部と前記第１ブロックの連接箇所とには、少なくとも一つの結合溝がそれぞれ設けられており、前記各第３翼部の前記第２ブロックに隣接する一端と、前記第４翼部の前記第２ブロックに隣接する一端とには、前記結合溝と係合可能な凸部がそれぞれ少なくとも一つ設けられていることを特徴とする、請求項１０に記載の積み木ユニットの基材。
【考案の詳細な説明】
【技術分野】
【０００１】
本考案は、積み木ユニット、この積み木ユニットを使用する積み木組合せ構造及びこの積み木ユニットの基材に関するものである。
【背景技術】
【０００２】
従来の積み木は、複数の積み木ユニットを組合せて構成され、例えば特許文献１が提案された。このような積み木は、積み木の底端の開口を別の積み木の突起に係合することにより、前記積み木の定位溝が前記別の積み木の定位柱を収容することが可能である。このように、複数の積み木を積み上げることが可能である。
【０００３】
しかし、このような積み木の突起が矩形を呈するため、前記積み木を組合せているときには、角度の制限があり、任意に積み上げることができない問題があった。一般的に、積み木は、樹脂を射出成形して一体成形されたものであり、包装の体積が大きいため、収納が極めて不便である。
【先行技術文献】
【特許文献】
【０００４】
【特許文献１】台湾特許第Ｍ４２６４３３号公報
【考案の概要】
【考案が解決しようとする課題】
【０００５】
本考案の主な目的は、作製が容易となり、組付けが便利となり、収納及び輸送時にスペースをより掛からない積み木ユニット、この積み木ユニットを使用する積み木組合せ構造及びこの積み木ユニットの基材を提供することにある。
【課題を解決するための手段】
【０００６】
本考案の積み木ユニットによると、本体を含み、本体は多面体であり、本体には、少なくとも一つの結合穴と、少なくとも一つの結合部と、が設けられており、結合穴と結合部は、本体の何れかの相違の表面に設けられており、結合部は割り線を有し、割り線は、非直線的であり、その両端の位置が互いに相違しており、割り線によりヘッド部が形成されており、ヘッド部と本体の連接箇所では、ネック部が形成されており、ネック部によりヘッド部が本体に対して旋回することが可能であり、結合穴は係合部を有し、少なくとも係合部の幅はヘッド部の幅よりも小さく、これにより、ヘッド部は結合穴の係合部に押付けて係合することが可能であることを特徴とする。
【０００７】
本考案の積み木ユニットによると、ヘッド部の最大幅はネック部の幅よりも大きく、結合穴の最大幅は、ネック部の幅よりも大きく、ヘッド部の最大幅よりも小さいことを特徴とする。
【０００８】
本考案の積み木ユニットによると、本体は、第１面と、第１面に対向している第２面と、第１面と第２面を連接する複数の側面と、を有し、本体には、複数の結合穴と、複数の結合部と、が設けられており、各結合穴と各結合部は、それぞれ第１面、第２面及びこれらの側面のうちの何れかの相違する二つに設けられていることを特徴とする。
【０００９】
本考案の積み木ユニットによると、各結合部のヘッド部は、枢着軸に沿って本体に対して旋回することが可能であり、少なくとも二つの結合部のヘッド部の枢着軸の方向が互いに相違することを特徴とする。
【００１０】
本考案の積み木ユニットによると、割り線はほぼ円弧形を呈し、これにより、ヘッド部はほぼ円弧形を呈し、結合穴は円形を呈する穴であることを特徴とする。
【００１１】
本考案の積み木ユニットによると、結合穴のエッジはほぼ歯状を呈することを特徴とする。
【００１２】
本考案の積み木ユニットによると、結合部のヘッド部の周縁はほぼ歯状を呈することを特徴とする。
【００１３】
本考案の積み木ユニットによると、本体は中空な多面体であり、結合穴と結合部は、本体の第１面と、第１面に対向している第２面とに、それぞれ設けられており、結合穴と結合部との位置は互いに対応していることを特徴とする。
【００１４】
本考案の積み木組合せ構造によると、請求項１から請求項７のうちの何れかの一つの複数の積み木ユニットを含み、各本体の結合穴の係合部の幅は、その他の何れかの一つの本体のヘッド部の最大幅よりも小さく、これにより、本体のヘッド部が本体に対して旋回しているときに、本体のヘッド部は、その他の何れかの一つの本体の結合穴の係合部と係合することが可能であることを特徴とする。
【００１５】
本考案の積み木ユニットの基材によると、シート体を含み、シート体は複数のブロックを有し、何れかの二つの隣接するブロックの間に折り線が形成されており、これらのブロックは、これらの折り線に沿って同じ方向に折られて、中空な多面体を形成することが可能であり、シート体には、少なくとも一つの結合穴と、少なくとも一つの結合部と、が設けられており、結合穴と結合部は、それぞれシート体の何れかの二つの相違するブロックに設けられており、結合部は割り線を有し、割り線は、非直線的であり、その両端の位置が互いに相違しており、割り線によりヘッド部が形成されており、ヘッド部とシート体の連接箇所では、ネック部が形成されており、ネック部によりヘッド部がシート体に対して旋回することが可能であり、結合穴は係合部を有し、少なくとも係合部の幅はヘッド部の幅よりも小さく、これにより、ヘッド部は結合穴の係合部に押付けて係合することが可能であることを特徴とする。
【００１６】
本考案の積み木ユニットの基材によると、ヘッド部の最大幅はネック部の幅よりも大きく、結合穴の最大幅は、ネック部の幅よりも大きく、ヘッド部の最大幅よりも小さいことを特徴とする。
【００１７】
本考案の積み木ユニットの基材によると、シート体の複数のブロックは、第１ブロックと、第２ブロックと、連結ブロックと、二つの第１翼部と、第２翼部と、二つの第３翼部と、第４翼部と、を含み、結合穴と結合部は、それぞれ第１ブロックと第２ブロックに設けられており、第１ブロックと第２ブロックは矩形を呈し、連結ブロックは第１ブロックと第２ブロックを連結しており、二つの第１翼部は、それぞれ第１ブロックの連結ブロックに隣接する両端に設けられており、第２翼部は、第１ブロックの連結ブロックから遠ざかった一端に設けられており、二つの第３翼部は、それぞれ第２ブロックの連結ブロックに隣接する両端に設けられており、第４翼部は、第２ブロックの連結ブロックから遠ざかった一端に設けられており、二つの第１翼部の形状は、二つの第３翼部の形状に対応しており、第２翼部の形状は、第４翼部の形状に対応しており、各第１翼部と第１ブロックの連接箇所と、第２翼部と第１ブロックの連接箇所とには、少なくとも一つの結合溝がそれぞれ設けられており、各第３翼部の第２ブロックに隣接する一端と、第４翼部の第２ブロックに隣接する一端とには、結合溝と係合可能な凸部がそれぞれ少なくとも一つ設けられていることを特徴とする。
【考案の効果】
【００１８】
本考案の積み木ユニット、この積み木ユニットを使用する積み木組合せ構造及びこの積み木ユニットの基材によれば、次のような効果がある。
（１）作製が容易となり、組付けが便利となる。
【００１９】
（２）本考案の積み木ユニットの基材は、シート体であるため、収納及び輸送時にスペースをより掛からず、ユーザが積み木ユニットの基材を組付けて積み木ユニットを形成することが可能である。
【図面の簡単な説明】
【００２０】
【図１】（Ａ）は本考案の積み木ユニットを示す斜視図であり、（Ｂ）はその一部を示す拡大図である。
【図２】本考案の積み木ユニットの別の視点から見た斜視図である。
【図３】本考案の積み木組合せ構造を示す斜視図である。
【図４】（Ａ）は本考案の積み木ユニットの基材の実施例１を示す模式図であり、（Ｂ）はその実施例２を示す模式図であり、（Ｃ）はその実施例３を示す模式図であり、（Ｄ）はその実施例４を示す模式図である。
【図５】本考案の積み木ユニットの基材の実施例１の組付け方法を示す斜視図１である。
【図６】本考案の積み木ユニットの基材の実施例１の組付け方法を示す斜視図２である。
【図７】本考案の複数の積み木ユニットの組付け方法を示す斜視図１である。
【図８】本考案の複数の積み木ユニットの組付け方法を示す斜視図２である。
【考案を実施するための形態】
【００２１】
以下、本考案の実施の形態を図面に基づいて説明する。
図１及び図２を参照する。図１は本考案の積み木ユニットを示す斜視図であり、図２は本考案の積み木ユニットの別の視点から見た斜視図である。本考案の積み木ユニットは、本体１を含む。
【００２２】
本体１は多面体である。本体１は中空な多面体であることが好ましい。本体１には、少なくとも一つの結合穴２と、少なくとも一つの結合部３と、が設けられている。結合穴２と結合部３は、本体１の何れかの相違の表面に設けられている。詳細的には、本体１は、第１面１１と、第１面１１に対向している第２面１２と、第１面１１と第２面１２を連接する複数の側面１３と、を有する。結合穴２と結合部３は、それぞれ第１面１１、第２面１２及びこれらの側面１３のうちの何れかの相違する二つに設けられている。本体１は、六面体であり、各面が矩形を呈することが好ましい。もちろん、本考案はこれらに限定されない。例えば本体の各面は、三角形、又は円形などを呈してもよい。本体は円錐状を呈してもよい。本実施例では、本体１の材料が紙を採用するが、本考案はこれらに限定されない。本体１の材料が紙を採用する場合には、本体１が地球環境に優しい。もちろん、本体１の材料は樹脂を採用してもよい。
【００２３】
結合部３は割り線３１を有する。割り線３１は、非直線的であり、その両端の位置が互いに相違している。詳細的には、割り線３１は円弧形を呈する。割り線３１により、円弧形を呈するヘッド部３２が形成されている。ヘッド部３２と本体１の連接箇所では、ネック部３３が形成されている。ネック部３３により、ヘッド部３２が本体１に対して旋回することが可能である。図１（Ｂ）に示すように、ヘッド部３２の最大幅はネック部３３の幅よりも大きく、結合部３のヘッド部３２の周縁はほぼ歯状を呈することが好ましい。結合穴２は係合部を有する。少なくとも前記係合部の幅はヘッド部３２の幅よりも小さい。これにより、ヘッド部３２は結合穴２に押付けて係合することが可能であり、容易に離脱することができない。本実施例では、結合穴２が円形を呈し、結合穴２の最大幅は、ネック部３１の幅よりも大きく、ヘッド部３２の最大幅よりも小さい。結合穴２のエッジは、ヘッド部３２の周縁の構造と同じように、ほぼ歯状を呈する（図示せず）。
【００２４】
本実施例では、本体１には、結合穴２、２と、結合部３、３´と、が設けられている。結合穴２、２と結合部３、３´は、それぞれ第１面１１、第２面１２及びこれらの側面１３のうちの何れかの相違する二つに設けられている。結合穴２、２は本体１の第１面１１に設けられており、結合部３、３´は本体１の第２面１２に設けられており、結合穴２、２と結合部３、３´は、その位置が互いに対応しており、その分布の密度が同じであることが好ましい。結合部３、３´のヘッド部３２、３２´は枢着軸に沿って本体１に対して旋回することが可能であり、結合部３、３´のヘッド部３２、３２´の枢着軸の方向は互いに相違することが好ましい。具体的には、結合部３、３´のヘッド部３２、３２´がネック部３３、３３´を枢着軸として本体１に対して旋回するときに、結合部３、３´のヘッド部３２、３２´の旋回する方向は互いに相違することが好ましい。もちろん、前記本体には、一つ又は二つ以上の結合穴及び結合部が設けられていてもよい。
【００２５】
図３を参照する。図３は本考案の積み木組合せ構造を示す斜視図である。本考案の積み木組合せ構造は、複数の前記積み木ユニットを含む。本実施例では、二つの前記積み木ユニットを含むが、本考案はこれらに限定されない。すなわち、本考案の積み木組合せ構造は、二つ以上の前記積み木ユニットを含んでもよい。前記各積み木ユニットは、本体１、１´を含む。本体１´の結合穴２´の係合部の幅は、本体１の何れかの一つのヘッド部３２、３２´の最大幅よりも小さい。これにより、本体１のヘッド部３２、３２´が本体１に対して旋回しているときに、本体１のヘッド部３２、３２´は、本体１´の結合穴２´の前記係合部と係合することが可能である。本体１´の結合穴２´の最大幅は、ネック部３３、３３´の幅よりも大きく、ヘッド部３２、３２´の最大幅よりも小さいことが好ましい。これにより、本体１のヘッド部３２、３２´は、本体１´の結合穴２´に押付けて係合することが可能であり、容易に離脱することができない。具体的には、各積み木ユニットの本体１、１´が中空な多面体であるため、積み木ユニットの本体１のヘッド部３２、３２´は、本体１に対して外側に旋回して、別の積み木ユニットの本体１´の結合穴２´に係合して、本体１´に収容されることが可能である。
【００２６】
使用時に、ユーザの指は、本体１のこれらの結合穴２から本体１を挿通して、ヘッド部３２、３２´を外側に押付けて本体１´の結合穴２´に係合することが可能である。また、ヘッド部３２、３２´の周縁が歯状を呈し、これらの結合穴２´のエッジも歯状を呈するため、ヘッド部３２、３２´がこれらの結合穴２´に係合されているときには、ヘッド部３２、３２´の周縁の一部がこれらの結合穴２´のエッジと噛合って、ヘッド部３２、３２´とこれらの結合穴２´の係合がもっと強固となる。詳細的には、本体１の結合部３、３´の分布の密度が同じであり、本体１´のこれらの結合穴２´の分布の密度も同じであるため、本体１、１´は、互いに対応することが可能であり、結合部３、３´と結合穴２´を係合して本体１、１´を積み上げることが可能である。
【００２７】
一方、ヘッド部３２、３２´の旋回の方向が互いに相違するため、積み木ユニットの本体１のヘッド部３２、３２´と別の積み木ユニットの結合穴２´の互いに係合する力の方向は互いに相違する。これにより、積み木ユニットの本体１のヘッド部３２、３２´が別の積み木ユニットの結合穴２´に係合されているときに、これらの積み木ユニットは容易に離脱することができない。
【００２８】
上記の説明から明らかなように、本考案の積み木ユニット及び前記積み木ユニットを含む積み木組合せ構造によれば、前記各積み木ユニットの結合部と結合穴により、何れかの二つの前記積み木ユニットを結合して前記積み木組合せ構造を形成することが可能である。一方、前記積み木ユニットは、中空な構造であり、その結合部を選択的に旋回することが可能であるため、組み付けようとする形状に複数の前記積み木ユニットを積み上げた後、前記積み木ユニットの内部に前記結合部を収容することが可能である。従来の積み木に比べて、本考案の積み木ユニット及び前記積み木ユニットを含む積み木組合せ構造は、従来の突起を必要としないため、見栄えがもっと綺麗となる。
【００２９】
図４（Ａ）を参照する。図４（Ａ）は本考案の積み木ユニットの基材の実施例１を示す模式図である。本考案の積み木ユニットの基材の実施例１は、シート体４を含む。シート体４は複数のブロックを有する。何れかの二つの隣接する前記ブロックの間に折り線が形成されている。これらの前記ブロックは、これらの前記折り線に沿って同じ方向に折られて、中空な多面体を形成することが可能である。具体的には、シート体４の複数の前記ブロックは、第１ブロック４１と、第２ブロック４２と、連結ブロック４３と、二つの第１翼部４４と、第２翼部４５と、二つの第３翼部４６と、第４翼部４７と、を含む。第１ブロック４１と第２ブロック４２は矩形を呈し、連結ブロック４３は第１ブロック４１と第２ブロック４２を連結しており、二つの第１翼部４４は、それぞれ第１ブロック４１の連結ブロック４３に隣接する両端に設けられており、第２翼部４５は、第１ブロック４１の連結ブロック４３から遠ざかった一端に設けられており、二つの第３翼部４６は、それぞれ第２ブロック４２の連結ブロック４３に隣接する両端に設けられており、第４翼部４７は、第２ブロック４２の連結ブロック４３から遠ざかった一端に設けられていることが好ましい。詳細的には、二つの第１翼部４４の形状は、二つの第３翼部４６の形状に対応している。第２翼部４５の形状は、第４翼部４７の形状に対応している。シート体４の材料が紙を採用する場合には、シート体４が地球環境に優しい。もちろん、シート体４の材料は樹脂を採用してもよい。
【００３０】
また、各第１翼部４４と第１ブロック４１の連接箇所と、第２翼部４５と第１ブロック４１の連接箇所とには、少なくとも一つの結合溝４８がそれぞれ設けられている。各第１翼部４４と第１ブロック４１の連接箇所に複数の結合溝４８が設けられており、第２翼部４５と第１ブロック４１の連接箇所に一つの結合溝４８が設けられており、各第３翼部４６の第２ブロック４２に隣接する一端と、第４翼部４７の第２ブロック４２に隣接する一端とには、結合溝４８と係合可能な凸部４９がそれぞれ少なくとも一つ設けられていることが好ましい。具体的には、これらの第３翼部４６の凸部４９は、これらの第１翼部４４の結合溝４８に係合することが可能であり、第４翼部４７の凸部４９は、第２翼部４５の結合溝４８に係合することが可能である。詳細的には、各結合溝４８はほぼコ字形を呈する割り線であるが、本考案はこれらに限定されない。各結合溝４８は、直線的な割り線、又は穿孔でもよい。各凸部４９を結合溝４８のうちの一つに挿入することにより、中空な多面体を形成することが可能である。
【００３１】
図５及び図６を参照する。図５は本考案の積み木ユニットの基材の実施例１の組付け方法を示す斜視図１であり、図６は本考案の積み木ユニットの基材の実施例１の組付け方法を示す斜視図２である。第１ブロック４１と、第２ブロック４２と、連結ブロック４３と、二つの第１翼部４４と、第２翼部４５と、二つの第３翼部４６と、第４翼部４７とは、前記折り線に沿って同じ方向に折られて、これらの凸部４９を結合溝４８に挿入して係合することにより、図１に示した積み木ユニットの本体１を形成することが可能である。本考案の積み木ユニットの基材の別の実施例では、図４（Ｂ）から図４（Ｄ）に示すように、第２翼部４５´の結合溝４８の数量は、必要によって二つ以上であってもよく、第４翼部４７´、４７″の凸部４９の数量は、必要によって二つ以上であってもよい。このように、異なる大きさを有する中空な多面体を形成することが可能である。
【００３２】
シート体４には、少なくとも一つの結合穴５と、少なくとも一つの結合部６と、が設けられている。結合穴５と結合部６は、それぞれシート体４の何れかの二つの相違するブロックに設けられている。シート体４には、複数の結合穴５と、複数の結合部６と、が設けられており、各結合穴５がシート体４の第２ブロック４２に設けられており、各結合部６が第１ブロック４１に設けられており、各結合部６が割り線６１を有し、割り線６１は、非直線的であり、その両端の位置が互いに相違していることが好ましい。円弧形を呈する割り線６１により、ほぼ円弧形を呈するヘッド部６２が形成されており、ヘッド部６２とシート体４の連接箇所では、ネック部６３が形成されており、ネック部６３によりヘッド部６２がシート体４に対して旋回することが可能であり、結合穴５が係合部を有し、少なくとも前記係合部の幅はヘッド部６２の幅よりも小さく、これにより、ヘッド部６２は結合穴５に押付けて係合することが可能であることが好ましい。ヘッド部６２の最大幅はネック部６３の幅よりも大きく、各結合穴５の最大幅は、ネック部６３の幅よりも大きく、ヘッド部６２の最大幅よりも小さいことが好ましい。
【００３３】
使用時に、図７及び図８に示すように、異なる構造を有するシート体４、４ａ、４ｂ、４ｃを折ることにより、異なる大きさを有する中空な多面体を形成することが可能である。シート体４、４ａ、４ｂ、４ｃの結合部６は、別のシート体４、４ａ、４ｂ、４ｃの結合穴５´に係合して、シート体４、４ａ、４ｂ、４ｃから構成される多面体の内部に収容されることが可能である。
【産業上の利用可能性】
【００３４】
本考案は、積み木に適用することが可能である。
【符号の説明】
【００３５】
１、１´  本体
２、２´  結合穴
３、３´  結合部
４、４ａ、４ｂ、４ｃ  シート体
５、５´  結合穴
６  結合部
１１  第１面
１２  第２面
１３  側面
３１  割り線
３２、３２´  ヘッド部
３３、３３´  ネック部
４１  第１ブロック
４２  第２ブロック
４３  連結ブロック
４４  第１翼部
４５、４５´  第２翼部
４６  第３翼部
４７、４７´、４７″  第４翼部
４８  結合溝
４９  凸部
６１  割り線
６２  ヘッド部
６３  ネック部
【図１】
0003189033.tif 000003
【図２】
0003189033.tif 000004
【図３】
0003189033.tif 000005
【図４】
0003189033.tif 000006
【図５】
0003189033.tif 000007
【図６】
0003189033.tif 000008
【図７】
0003189033.tif 000009
【図８】
0003189033.tif 000010